【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
ネットワークデバイスにおいて、ユーザ機器による音声広告の挿入を支援するための方法であって、
−  前記音声広告が挿入される音声の特徴情報に従って、前記音声を再生する際の前記音声広告の挿入時点を特定するステップと、
−  前記音声に挿入されるべき前記音声広告、前記挿入時点、及び指示情報を前記ユーザ機器に提供するステップであって、前記指示情報は、前記挿入時点で前記音声広告の前記挿入と関連付けられた操作を実行するように前記ユーザ機器に指示するために使用されるステップと
を含むことを特徴とする方法。
【請求項２】
前記音声は、前記ユーザ機器で再生されなければならず、前記指示情報は、前記挿入時点に到達すると、前記音声の前記再生をポーズし、前記音声広告を挿入するように前記ユーザ機器に指示するために使用されることを特徴とする、請求項１に記載の方法。
【請求項３】
前記音声はライブ音声であり、前記指示情報は、音声広告を現在挿入することができるというプロンプト情報をユーザに表示するように前記ユーザ機器に指示するために使用されることを特徴とする、請求項１に記載の方法。
【請求項４】
前記特徴情報に従って前記挿入時点を特定する前記ステップは、
−  現時点に至るまでにリアルタイム分析によって得られた前記ライブ音声の特徴情報に従って、前記音声広告を挿入することが適切であるかどうかを判定するステップと、
−  前記音声広告を挿入することが適切であると判定された場合、前記現時点又は前記現時点の後の近接時点を前記挿入時点として使用するステップと
を含むことを特徴とする、請求項３に記載の方法。
【請求項５】
前記特徴情報に従って前記挿入時点を特定する前記ステップは、
−  前記音声広告の特徴情報及び／又は前記音声を好むユーザのユーザ属性情報と組み合わせて、前記音声の前記特徴情報に従って、前記音声を再生する際の前記音声広告の前記挿入時点を特定するステップ
を含むことを特徴とする、請求項１に記載の方法。
【請求項６】
前記音声の前記特徴情報は、
−  前記音声の固有のデータ特徴情報、及び、
−  前記音声の人感的特徴情報
の少なくとも１つを含むことを特徴とする、請求項１〜５のいずれか一項に記載の方法。
【請求項７】
前記特徴情報に従って前記挿入時点を特定する前記ステップの前に、
−  前記音声に従って、前記音声の前記データ特徴情報を特定するステップと、
−  前記データ特徴情報に従って、前記音声の前記人感的特徴情報を特定するステップと
を更に含むことを特徴とする、請求項６に記載の方法。
【請求項８】
ユーザ機器において広告を挿入するための方法であって、
−  ネットワークデバイスによって提供され、再生されている音声に挿入されるべき音声広告、前記音声を再生する際の前記音声広告の挿入時点、及び指示情報を受信するステップと、
−  前記指示情報に従って、前記挿入時点で前記音声広告の前記挿入と関連付けられた操作を実行するステップと
を含むことを特徴とする、方法。
【請求項９】
前記音声は、前記ユーザ機器で再生されており、前記指示情報に従って前記操作を実行する前記ステップは、
−  前記指示情報に従って、前記挿入時点に到達すると、前記音声の前記再生をポーズし、前記音声広告を挿入するステップ
を含むことを特徴とする、請求項８に記載の方法。
【請求項１０】
前記受信するステップの前に、
−  前記音声のコンテンツ情報を取得して再生するステップ
を更に含むことを特徴とする、請求項９に記載の方法。
【請求項１１】
ネットワークデバイスにおいて、ユーザ機器による音声広告の挿入を支援するための補助装置であって、
前記音声広告が挿入される音声の特徴情報に従って、前記音声を再生する際の前記音声広告の挿入時点を特定するための第１の特定手段と、
前記音声に挿入されるべき前記音声広告、前記挿入時点、及び指示情報を前記ユーザ機器に提供するための提供手段であって、前記指示情報は、前記挿入時点で前記音声広告の前記挿入と関連付けられた操作を実行するように前記ユーザ機器に指示するために使用される提供手段と
を備えることを特徴とする、補助装置。
【請求項１２】
前記音声は、前記ユーザ機器で再生されなければならず、前記指示情報は、前記挿入時点に到達すると、前記音声の前記再生をポーズし、前記音声広告を挿入するように前記ユーザ機器に指示するために使用されることを特徴とする、請求項１１に記載の補助装置。
【請求項１３】
前記音声はライブ音声であり、前記指示情報は、音声広告を現在挿入することができるというプロンプト情報をユーザに表示するように前記ユーザ機器に指示するために使用されることを特徴とする、請求項１１に記載の補助装置。
【請求項１４】
前記第１の特定手段は、
現時点に至るまでにリアルタイム分析によって得られた前記ライブ音声の特徴情報に従って前記音声広告を挿入することが適切であるかどうかを判定するための判定手段と、
前記音声広告を挿入することが適切であると判定された場合、前記現時点又は前記現時点の後の近接時点を前記挿入時点として使用するための第１のサブ特定手段と
を備えることを特徴とする、請求項１３に記載の補助装置。
【請求項１５】
前記第１の特定手段は、
前記音声広告の特徴情報及び／又は前記音声を好むユーザのユーザ属性情報と組み合わせて、前記音声の前記特徴情報に従って、前記音声を再生する際の前記音声広告の前記挿入時点を特定するための第２のサブ特定手段
を備えることを特徴とする、請求項１１に記載の補助装置。
【請求項１６】
前記音声の前記特徴情報は、
−  前記音声の固有のデータ特徴情報、及び、
−  前記音声の人感的特徴情報
の少なくとも１つを含むことを特徴とする、請求項１１〜１５のいずれか一項に記載の補助装置。
【請求項１７】
前記第１の特定手段の前に、操作を実行するための以下の手段、即ち、
前記音声に従って、前記音声の前記データ特徴情報を特定するための第２の特定手段と、
前記データ特徴情報に従って、前記音声の前記人感的特徴情報を特定するための第３の特定手段と
を更に備えることを特徴とする、請求項１６に記載の補助装置。
【請求項１８】
ユーザ機器において広告を挿入するための挿入装置であって、
ネットワークデバイスによって提供され、再生されている音声に挿入されるべき音声広告、前記音声を再生する際の前記音声広告の挿入時点、及び指示情報を受信するための受信手段と、
前記指示情報に従って、前記挿入時点で前記音声広告の前記挿入と関連付けられた操作を実行するための実行手段と
を備えることを特徴とする、挿入装置。
【請求項１９】
前記音声は、前記ユーザ機器で再生されており、前記実行手段は、
前記指示情報に従って、前記挿入時点に到達すると、前記音声の前記再生をポーズし、前記音声広告を挿入するための第１のサブ実行手段
を備えることを特徴とする、請求項１８に記載の挿入装置。
【請求項２０】
前記受信手段の前に、操作を実行するための以下の手段、即ち、
前記音声のコンテンツ情報を取得して再生するための第１の再生手段
を更に備えることを特徴とする、請求項１９に記載の挿入装置。
【請求項２１】
請求項１１〜１７のいずれか一項に記載の補助装置を備える、ネットワークデバイス。
【請求項２２】
請求項１８〜２０のいずれか一項に記載の挿入装置を備える、ユーザ機器。
【請求項２３】
請求項２１に記載のネットワークデバイスと、請求項２２に記載のユーザ機器とを備える、システム。